【手続補正書】
【提出日】平成25年8月30日(2013.8.30)
【手続補正１】
【補正対象書類名】明細書
【補正対象項目名】発明の名称
【補正方法】変更
【補正の内容】
【発明の名称】小型電子機器、処理方法及びプログラム
【手続補正２】
【補正対象書類名】明細書
【補正対象項目名】０００１
【補正方法】変更
【補正の内容】
【０００１】
本発明は、筺体が空中の任意の平面内で移動されながら行われた文字を書く動作を認識する小型電子機器、処理方法及びプログラムに関する。
【手続補正３】
【補正対象書類名】明細書
【補正対象項目名】０００６
【補正方法】変更
【補正の内容】
【０００６】
本発明の課題は、本出願人が先に提案した技術をさらに発展させるために、任意の平面内で書かれた文字を認識する場合に、文字認識と共にその文字を書く動作に応じて所定の処理を行えるようにすることである。
【手続補正４】
【補正対象書類名】明細書
【補正対象項目名】０００７
【補正方法】変更
【補正の内容】
【０００７】
上述した課題を解決するために請求項１記載の発明は、
筺体の移動方向を検出する移動方向検出手段と、
前記移動方向検出手段により検出された、前記筐体が空中の任意の平面内で移動されながら行われた文字又は文字列を書く動作に基づいて、文字又は文字列を認識する認識手段と、
前記平面内に前記書く動作により書かれた文字又は文字列の姿勢とその文字又は文字列を書く動作の間の筐体の姿勢との相対姿勢、文字又は文字列を書く動作の間の筐体の姿勢、前記平面内に前記書く動作により書かれた文字又は文字列の姿勢のうち、少なくともいずれかの姿勢を算出する算出手段と、
前記算出手段により算出された文文字又は文字列の姿勢と筐体の姿勢との相対姿勢、筐体の姿勢、文字又は文字列の姿勢、前記認識手段により認識された文字又は文字列の種類のうち、少なくともいずれかの組み合わせに応じて、所定の処理を行う処理手段と、
を具備したことを特徴とする。
【手続補正５】
【補正対象書類名】明細書
【補正対象項目名】０００８
【補正方法】変更
【補正の内容】
【０００８】
請求項１に従属する発明として、
前記算出手段は、前記移動方向検出手段により計測された重力方向に対する前記筐体の傾きをその姿勢として算出する、
ようにしたことを特徴とする、請求項２記載の発明であってもよい。
【手続補正６】
【補正対象書類名】明細書
【補正対象項目名】０００９
【補正方法】変更
【補正の内容】
【０００９】
請求項１に従属する発明として、
方位を計測する方位計測手段をさらに備え、
前記算出手段は、前記移動方向検出手段により計測された重力方向及び前記方位計測手段により計測された方位に対する前記筐体の傾きをその姿勢として算出する、
ようにしたことを特徴とする、請求項３記載の発明であってもよい。
【手続補正７】
【補正対象書類名】明細書
【補正対象項目名】００１０
【補正方法】変更
【補正の内容】
【００１０】
請求項１〜請求項３のいずれかに従属する発明として、
前記算出手段は、前記移動方向検出手段により計測された重力方向に対する前記平面の傾きを前記文字の姿勢として算出する、
ようにしたことを特徴とする、請求項４記載の発明であってもよい。
【手続補正８】
【補正対象書類名】明細書
【補正対象項目名】００１１
【補正方法】変更
【補正の内容】
【００１１】
請求項１〜請求項３のいずれかに従属する発明として、
方位を計測する方位計測手段をさらに備え、
前記算出手段は、前記移動方向検出手段により計測された重力方向及び前記方位計測手段により計測された方位に対する前記平面の傾きを前記文字の姿勢として算出する、
ようにしたことを特徴とする、請求項５記載の発明であってもよい。
【手続補正９】
【補正対象書類名】明細書
【補正対象項目名】００１３
【補正方法】変更
【補正の内容】
【００１３】
請求項１に従属する発明として、
前記処理手段は、前記所定の処理として、所定のコマンドを発行する、
ようにしたことを特徴とする、請求項７記載の発明であってもよい。
【手続補正１０】
【補正対象書類名】明細書
【補正対象項目名】００１４
【補正方法】変更
【補正の内容】
【００１４】
請求項７に従属する発明として、
前記処理手段により発行されたコマンドを外部に送信する送信手段をさらに備える、
ようにしたことを特徴とする、請求項８記載の発明であってもよい。
【手続補正１１】
【補正対象書類名】明細書
【補正対象項目名】００１５
【補正方法】変更
【補正の内容】
【００１５】
請求項７あるいは請求項８のいずれかに従属する発明として、
前記処理手段は、前記認識手段により認識された文字又は文字列の属性を指定するコマンドを発行する、
ようにしたことを特徴とする請求項９記載の発明であってもよい。
【手続補正１２】
【補正対象書類名】明細書
【補正対象項目名】００１６
【補正方法】変更
【補正の内容】
【００１６】
請求項７あるいは請求項８のいずれかに従属する発明として、
前記処理手段は、動作種を指定するコマンドを発行する、
ようにしたことを特徴とする、請求項１０記載の発明であってもよい。
【手続補正１３】
【補正対象書類名】明細書
【補正対象項目名】００１７
【補正方法】変更
【補正の内容】
【００１７】
請求項７あるいは請求項８のいずれかに従属する発明として、
前記処理手段は、動作モードを切り替えるコマンドを発行する、
ようにしたことを特徴とする、請求項１１記載の発明であってもよい。
また、上述した課題を解決するために請求項１２記載の発明は、
筺体の移動方向を検出する移動方向検出手段を備えた小型電子機器における処理方法であって、
前記移動方向検出手段により検出された、前記筐体が空中の任意の平面内で移動されながら行われた文字又は文字列を書く動作に基づいて、文字又は文字列を認識する認識工程と、
前記平面内に前記書く動作により書かれた文字又は文字列の姿勢とその文字又は文字列を書く動作の間の筐体の姿勢との相対姿勢、文字又は文字列を書く動作の間の筐体の姿勢、前記平面内に前記書く動作により書かれた文字又は文字列の姿勢のうち、少なくともいずれかの姿勢を算出する算出工程と、
前記算出工程により算出された文字又は文字列の姿勢と筐体の姿勢との相対姿勢、筐体の姿勢、文字又は文字列の姿勢、前記認識手段により認識された文字又は文字列の種類のうち、少なくともいずれかの組み合わせに応じて、所定の処理を行う処理工程と、
を含むことを特徴とする。
【手続補正１４】
【補正対象書類名】明細書
【補正対象項目名】００１８
【補正方法】変更
【補正の内容】
【００１８】
また、上述した課題を解決するために請求項１３記載の発明は、
筺体の移動方向を検出する移動方向検出手段を備えたコンピュータに、
前記移動方向検出手段により検出された、前記筐体が空中の任意の平面内で移動されながら行われた文字又は文字列を書く動作に基づいて、文字又は文字列を認識する認識機能、
前記平面内に前記書く動作により書かれた文字又は文字列の姿勢とその文字又は文字列を書く動作の間の筐体の姿勢との相対姿勢、文字又は文字列を書く動作の間の筐体の姿勢、前記平面内に前記書く動作により書かれた文字又は文字列の姿勢のうち、少なくともいずれかの姿勢を算出する算出機能、
前記算出機能により算出された文字又は文字列の姿勢と筐体の姿勢との相対姿勢、筐体の姿勢、文字又は文字列の姿勢、前記認識手段により認識された文字又は文字列の種類のうち、少なくともいずれかの組み合わせに応じて、所定の処理を行う処理機能、
を実現させるためのプログラム、であることを特徴とする。
また、上述した課題を解決するために請求項１４記載の発明は、
筺体の移動方向を検出する移動方向検出手段と、
前記移動方向検出手段により検出された、前記筐体が空中の任意の平面内で移動されながら行われた文字又は文字列を書く動作に基づいて、文字又は文字列を認識する認識手段と、
前記平面内に前記書く動作により書かれた文字又は文字列を書く動作の間の筐体の姿勢と、前記平面内に前記書く動作により書かれた文字又は文字列の姿勢を算出する算出手段と、
前記算出手段により算出された筐体の姿勢文字と文字列の姿勢の相対姿勢と、前記認識手段により認識された文字又は文字列の種類の組み合わせに応じて、所定の処理を行う処理手段と、
を具備したことを特徴とする。
また、上述した課題を解決するために請求項１５記載の発明は、
筺体の移動方向を検出する移動方向検出手段と、
前記移動方向検出手段により検出された、前記筐体が空中の任意の平面内で移動されながら行われた文字又は文字列を書く動作に基づいて、文字又は文字列を認識する認識手段と、
前記平面内に前記書く動作により書かれた文字又は文字列を書く動作の間の筐体の姿勢と、前記平面内に前記書く動作により書かれた文字又は文字列の姿勢を算出する算出手段と、
前記算出手段により算出された筐体の姿勢文字と、文字列の姿勢の相対姿勢の組み合わせに応じて、所定の処理を行う処理手段と、
を具備したことを特徴とする小型電子機器。
【手続補正１５】
【補正対象書類名】明細書
【補正対象項目名】００１９
【補正方法】変更
【補正の内容】
【００１９】
本発明によれば、任意の平面内で書かれた文字を認識する場合に、文字認識と共にその文字を書く動作に応じて所定の処理を行うことができ、利便性に富んだものとなる。
【手続補正１６】
【補正対象書類名】特許請求の範囲
【補正対象項目名】全文
【補正方法】変更
【補正の内容】
【特許請求の範囲】
【請求項１】
筺体の移動方向を検出する移動方向検出手段と、
前記移動方向検出手段により検出された、前記筐体が空中の任意の平面内で移動されながら行われた文字又は文字列を書く動作に基づいて、文字又は文字列を認識する認識手段と、
前記平面内に前記書く動作により書かれた文字又は文字列の姿勢とその文字又は文字列を書く動作の間の筐体の姿勢との相対姿勢、文字又は文字列を書く動作の間の筐体の姿勢、前記平面内に前記書く動作により書かれた文字又は文字列の姿勢のうち、少なくともいずれかの姿勢を算出する算出手段と、
前記算出手段により算出された文字又は文字列の姿勢と筐体の姿勢との相対姿勢、筐体の姿勢、文字又は文字列の姿勢、前記認識手段により認識された文字又は文字列の種類のうち、少なくともいずれかの組み合わせに応じて、所定の処理を行う処理手段と、
を具備したことを特徴とする小型電子機器。
【請求項２】
前記算出手段は、前記移動方向検出手段により計測された重力方向に対する前記筐体の傾きをその姿勢として算出する、
ようにしたことを特徴とする請求項１記載の小型電子機器。
【請求項３】
方位を計測する方位計測手段をさらに備え、
前記算出手段は、前記移動方向検出手段により計測された重力方向及び前記方位計測手段により計測された方位に対する前記筐体の傾きをその姿勢として算出する、
ようにしたことを特徴とする請求項１記載の小型電子機器。
【請求項４】
前記算出手段は、前記移動方向検出手段により計測された重力方向に対する前記平面の傾きを前記文字の姿勢として算出する、
ようにしたことを特徴とする請求項１〜請求項３のいずれかに記載の小型電子機器。
【請求項５】
方位を計測する方位計測手段をさらに備え、
前記算出手段は、前記移動方向検出手段により計測された重力方向及び前記方位計測手段により計測された方位に対する前記平面の傾きを前記文字の姿勢として算出する、
ようにしたことを特徴とする請求項１〜請求項３のいずれかに記載の小型電子機器。
【請求項６】
前記算出手段は、前記平面内での文字又は文字列の上下方向、表裏方向のうち、少なくともそのいずれかの方向を含めて前記文字又は文字列の姿勢として算出する、
ようにしたことを特徴とする請求項４あるいは請求項５記載の小型電子機器。
【請求項７】
前記処理手段は、前記所定の処理として、所定のコマンドを発行する、
ことを特徴とする請求項１記載の小型電子機器。
【請求項８】
前記処理手段により発行されたコマンドを外部に送信する送信手段をさらに備える、
ようにしたことを特徴とする請求項７記載の小型電子機器。
【請求項９】
前記処理手段は、前記認識手段により認識された文字又は文字列の属性を指定するコマンドを発行する、
ようにしたことを特徴とする請求項７あるいは請求項８のいずれかに記載の小型電子機器。
【請求項１０】
前記処理手段は、動作種を指定するコマンドを発行する、
ようにしたことを特徴とする請求項７あるいは請求項８のいずれかに記載の小型電子機器。
【請求項１１】
前記処理手段は、動作モードを切り替えるコマンドを発行する、
ようにしたことを特徴とする請求項７あるいは請求項８のいずれかに記載の小型電子機器。
【請求項１２】
筺体の移動方向を検出する移動方向検出手段を備えた小型電子機器における処理方法であって、
前記移動方向検出手段により検出された、前記筐体が空中の任意の平面内で移動されながら行われた文字又は文字列を書く動作に基づいて、文字又は文字列を認識する認識工程と、
前記平面内に前記書く動作により書かれた文字又は文字列の姿勢とその文字又は文字列を書く動作の間の筐体の姿勢との相対姿勢、文字又は文字列を書く動作の間の筐体の姿勢、前記平面内に前記書く動作により書かれた文字又は文字列の姿勢のうち、少なくともいずれかの姿勢を算出する算出工程と、
前記算出工程により算出された文字又は文字列の姿勢と筐体の姿勢との相対姿勢、筐体の姿勢、文字又は文字列の姿勢、前記認識手段により認識された文字又は文字列の種類のうち、少なくともいずれかの組み合わせに応じて、所定の処理を行う処理工程と、
を含むことを特徴とする処理方法。
【請求項１３】
筺体の移動方向を検出する移動方向検出手段を備えたコンピュータに、
前記移動方向検出手段により検出された、前記筐体が空中の任意の平面内で移動されながら行われた文字又は文字列を書く動作に基づいて、文字又は文字列を認識する認識機能、
前記平面内に前記書く動作により書かれた文字又は文字列の姿勢とその文字又は文字列を書く動作の間の筐体の姿勢との相対姿勢、文字又は文字列を書く動作の間の筐体の姿勢、前記平面内に前記書く動作により書かれた文字又は文字列の姿勢のうち、少なくともいずれかの姿勢を算出する算出機能、
前記算出機能により算出された文字又は文字列の姿勢と筐体の姿勢との相対姿勢、筐体の姿勢、文字又は文字列の姿勢、前記認識手段により認識された文字又は文字列の種類のうち、少なくともいずれかの組み合わせに応じて、所定の処理を行う処理機能、
を実現させるためのプログラム。
【請求項１４】
筺体の移動方向を検出する移動方向検出手段と、
前記移動方向検出手段により検出された、前記筐体が空中の任意の平面内で移動されながら行われた文字又は文字列を書く動作に基づいて、文字又は文字列を認識する認識手段と、
前記平面内に前記書く動作により書かれた文字又は文字列を書く動作の間の筐体の姿勢と、前記平面内に前記書く動作により書かれた文字又は文字列の姿勢を算出する算出手段と、
前記算出手段により算出された筐体の姿勢文字と文字列の姿勢の相対姿勢と、前記認識手段により認識された文字又は文字列の種類の組み合わせに応じて、所定の処理を行う処理手段と、
を具備したことを特徴とする小型電子機器。
【請求項１５】
筺体の移動方向を検出する移動方向検出手段と、
前記移動方向検出手段により検出された、前記筐体が空中の任意の平面内で移動されながら行われた文字又は文字列を書く動作に基づいて、文字又は文字列を認識する認識手段と、
前記平面内に前記書く動作により書かれた文字又は文字列を書く動作の間の筐体の姿勢と、前記平面内に前記書く動作により書かれた文字又は文字列の姿勢を算出する算出手段と、
前記算出手段により算出された筐体の姿勢文字と、文字列の姿勢の相対姿勢の組み合わせに応じて、所定の処理を行う処理手段と、
を具備したことを特徴とする小型電子機器。